(57)【要約】【課題】端子の接点が摩耗することを抑制し、接点間の接続信頼性を確保する。【解決手段】本明細書によって開示されるコネクタは、弾性変位可能な一対の弾性接触片５３を有する雌端子５０に接続される雄端子２０が雄ハウジング３０内に収容された雄コネクタ１０であって、雄端子２０に平板状に設けられた端子接続部２１と、端子接続部２１に設けられ、一対の弾性接触片５３の雌側接点部５４が弾性的にそれぞれ接触する雄側接点部２２と、雄ハウジング３０の内側面に突設され、雄端子２０と雌端子５０とを接続または非接続にする過程において弾性接触片５３の両側縁部５３Ａを押圧しつつ摺動し、雄端子２０と雌端子５０とが正規の接続位置に至ると、弾性接触片５３を押圧しない状態となって雌側接点部５４を雄側接点部２２に弾性的に接触させる摩耗低減部３５とを備えるところに特徴を有する。【選択図】図５
2015222620.tif 000002
【特許請求の範囲】
【請求項１】
弾性変位可能な弾性接触片を有する雌端子に接続される雄端子がハウジング内に収容されたコネクタであって、
前記雄端子に平板状に設けられた端子接続部と、
前記端子接続部の表面に設けられ、前記弾性接触片に設けられた雌側接点部が弾性的に接触する雄側接点部と、
前記ハウジングに設けられ、前記雄端子と前記雌端子とを接続または非接続にする過程において前記弾性接触片における前記雌側接点部に隣接する部分を押圧しつつ摺動し、前記雄端子と前記雌端子とが正規の接続位置に至ると、前記弾性接触片を押圧しない状態となって同弾性接触片を弾性復帰させることで、前記雌側接点部を前記雄側接点部に弾性的に接触させる摩耗低減部とを備えるコネクタ。
【請求項２】
前記摩耗低減部は、前記ハウジング内における前記端子接続部の両側の壁部に一対突出して設けられることで、前記弾性接触片の幅方向中央部に形成された前記雌側接点部の両側に位置する側縁部と摺動する請求項１に記載のコネクタ。
【請求項３】
前記摩耗低減部における前記雌端子側の端部には、前記弾性接触片が乗り上げる傾斜状の乗り上げ部が形成されている請求項１または請求項２に記載のコネクタ。
【請求項４】
前記雄側接点部は、前記端子接続部の板厚方向両側に配された一対の前記弾性接触片と接触可能に同端子接続部の板厚方向両側に一対配されており、
前記摩耗低減部は、前記端子接続部の前記雄側接点部よりも板厚方向両側に突出して形成され、一対の前記弾性接触片を押圧しつつ同弾性接触片の間を通過する請求項１から請求項３の何れか一項に記載のコネクタ。
【請求項５】
前記雄端子は、前記ハウジング内に前記雌端子とは反対側から収容されるように構成されており、
前記ハウジング内の壁部には、前記摩耗低減部から前記雄端子の収容方向後方に向けて延びるガイド部が形成されている請求項１から請求項４の何れか一項に記載のコネクタ。
【請求項６】
前記摩耗低減部は、前記雄端子の側方における前記ハウジングの壁部に装着される別部品によって構成されている請求項１から請求項５の何れか一項に記載のコネクタ。
【発明の詳細な説明】
【技術分野】
【０００１】
本明細書によって開示される技術は、コネクタに関する。
【背景技術】
【０００２】
例えば、コネクタ雌端子に接続されるコネクタ雄端子を有する雄側コネクタとして、特開２０１３ー８９３０９号公報（特許文献１）に記載のものが知られている。この雄側コネクタのコネクタ雄端子は、コネクタ雌端子に設けられた上下一対のコネクタ雌側接触子の間に挿入される角柱状の本体部を有している。本体部の上下面には、本体部の延びる方向に沿って形成された凹溝が設けられており、上下一対のコネクタ雌側接触子が本体部に乗り上げて摺動することによって生じためっき滓などの塵埃を凹溝内に収容することで、雄端子と雌端子との接点間に塵埃が入り込むことを防いでいる。
【先行技術文献】
【特許文献】
【０００３】
【特許文献１】特開２０１３−８９３０９号公報
【発明の概要】
【発明が解決しようとする課題】
【０００４】
ところで、上記の構成によると、上下一対のコネクタ雌端子がコネクタ雄端子の本体部に乗り上げて本体部の表面を摺動するため、コネクタ雌端子とコネクタ雄端子とが正規の接続位置に至るまでにコネクタ雌側接触子が摩耗してしまう。また、コネクタ雌端子とコネクタ雄端子とを非接続状態にする場合も、同様に、ネクタ雌側接触子が摩耗するため、コネクタ雌端子とコネクタ雄端子との接点間の接続信頼性が低下してしまう。
【０００５】
本明細書では、端子の接点が摩耗することを抑制し、接点間の接続信頼性を確保する技術を開示する。
【課題を解決するための手段】
【０００６】
本明細書によって開示される技術は、弾性変位可能な弾性接触片を有する雌端子に接続される雄端子がハウジング内に収容されたコネクタであって、前記雄端子に平板状に設けられた端子接続部と、前記端子接続部の表面に設けられ、前記弾性接触片に設けられた雌側接点部が弾性的に接触する雄側接点部と、前記ハウジングに設けられ、前記雄端子と前記雌端子とを接続または非接続にする過程において前記弾性接触片における前記雌側接点部に隣接する部分を押圧しつつ摺動し、前記雄端子と前記雌端子とが正規の接続位置に至ると、前記弾性接触片を押圧しない状態となって同弾性接触片を弾性復帰させることで、前記雌側接点部を前記雄側接点部に弾性的に接触させる摩耗低減部とを備えるところに特徴を有する。
【０００７】
このような構成によると、雌端子と雄端子とを接続または非接続にする過程において、雌側接点部が雄端子などの他の部材と摺動することがないから、雄端子と雌端子とが正規の接続位置に至って雄側接点部と雌側接点部とが接触した際に、接点部間の接続信頼性を確保することができる。
【０００８】
本明細書によって開示される技術の態様として、以下の構成が好ましい。
前記摩耗低減部は、前記ハウジング内における前記端子接続部の両側の壁部に一対突出して設けられることで、前記弾性接触片の幅方向中央部に形成された前記雌側接点部の両側に位置する側縁部と摺動する構成としてもよい。
このような構成によると、弾性接触片の両側縁部が一対の摩耗低減部と摺動するから、例えば、弾性接触片の一側縁のみが摩耗低減部と摺動する場合に比べて、弾性接触片と摩耗低減部とを安定して摺動させることができる。これにより、弾性接触片の中央部に配された雌側接点部が雄端子と摺動することを確実に防ぐことができる。
【０００９】
前記摩耗低減部における前記雌端子側の端部には、前記弾性接触片が乗り上げる傾斜状の乗り上げ部が形成されている構成としてもよい。
このような構成によると、弾性接触片が摩耗低減部に乗り上げ易くなるから、両端子の接続過程を滑らかに動作させることができる。
【００１０】
前記雄側接点部は、前記端子接続部の板厚方向両側に配された一対の前記弾性接触片と接触可能に同端子接続部の板厚方向両側に一対配されており、前記摩耗低減部は、前記端子接続部の前記雄側接点部よりも板厚方向両側に突出して形成され、一対の前記弾性接触片を押圧しつつ同弾性接触片の間を通過する構成としてもよい。
このような構成によると、一対の弾性接触片の間を摩耗低減部が摺動して通過し、一対の雌側接点部の摩耗を一度に防ぐことができる。
【００１１】
前記雄端子は、前記ハウジング内に前記雌端子とは反対側から収容されるように構成されており、前記ハウジング内の壁部には、前記摩耗低減部から前記雄端子の収容方向後方に向けて延びるガイド部が形成されている構成としてもよい。
このような構成によると、ガイド部に沿わせて雄端子をハウジング内に収容することで、摩耗低減部に対して前記雄端子を正規の位置に案内することができる。
【００１２】
前記摩耗低減部は、前記雄端子の側方における前記ハウジングの壁部に装着される別部品によって構成されていてもよい。
このような構成によると、ハウジングに耐摩耗性に優れた別部品を装着して摩耗低減部を形成することで、摩耗低減部が摩耗することに起因して雌側接点部が摩耗することを防ぐことができる。
【発明の効果】
【００１３】
本明細書によって開示される技術によれば、端子の接点が摩耗することを抑制し、接点間の接続信頼性を確保することができる。
【図面の簡単な説明】
【００１４】
【図１】実施形態１に係る雄コネクタの雄端子が雌端子と接続される前の状態を示す部分切欠斜視図
【図２】雄コネクタを正面から視た状態を示す要部拡大図
【図３】雄ハウジングの部分切欠断面図
【図４】雄端子と雌端子とが接続される前の状態を示す部分切欠側面図
【図５】摩耗低減部に雌端子の弾性接触片が乗り上げた状態を示す部分切欠側面図
【図６】摩耗低減部を雌端子の弾性接触片が乗り越えて雄側接点部と雌側接点部とが接触した状態を示す部分切欠側面図
【図７】雄端子と雌端子とが接続される前の状態を示す部分切欠平面図
【図８】摩耗低減部に雌端子の弾性接触片が乗り上げた状態を示す部分切欠平面図
【図９】摩耗低減部を雌端子の弾性接触片が乗り越えて雄側接点部と雌側接点部とが接触した状態を示す部分切欠平面図
【図１０】摩耗低減部に雌端子の弾性接触片が乗り上げた状態に相当する要部拡大正面図
【図１１】摩耗低減部を雌端子の弾性接触片が乗り越えて雄側接点部と雌側接点部とが接触した状態に相当する要部拡大正面図
【図１２】実施形態２に係る雄ハウジングの部分切欠断面図
【発明を実施するための形態】
【００１５】
＜実施形態１＞
実施形態１について図１から図１１を参照して説明する。
本実施形態は、雌端子５０を雌ハウジングに収容してなる雌コネクタに嵌合される雄コネクタ１０を例示している。なお、以下の説明において、雌コネクタについては、雌ハウジングを図示省略して説明する。また、上下方向とは、図２および図４における上下方向を基準とする。また、前後方向とは、図４における左右方向を基準とし、両コネクタが互いに嵌合する側を前側として説明する。
【００１６】
雌端子５０は図示しない電線の端末に接続されるものであって、導電性に優れた金属板材をプレス等で加工することにより形成されている。雌端子５０は、図１に示すように、角筒状の端子本体部５１の後方に雌側電線接続部５２が設けられた形態とされており、雌側電線接続部５２が電線の端末にかしめ圧着されることで電線の端末に雌端子５０が固着されるようになっている。
【００１７】
端子本体部５１の前端開口縁には、一対の弾性接触片５３が設けられている。一対の弾性接触片５３は、図１および図４に示すように、端子本体部５１の前端開口における上下縁から前方に向かって片持ち状に延出した形態とされおり、端子本体部５１との付け根部分を支点に上下に弾性変位可能とされている。また一対の弾性接触片５３は、上下方向に対向した配置とされており、前方に向かうほど互いに近づく形態とされている。一対の弾性接触片５３は、その前端部が外側に向かって互いに離れる方向に屈曲されており、屈曲された部分の幅方向略中央部において互いに最も近接した部分は、雌側接点部５４とされている。
【００１８】
雄コネクタ１０は、図１、図２および図４に示すように、雌端子５０に接続される雄端子２０と、雄端子２０を内部に収容する合成樹脂製の雄ハウジング３０とを備えて構成されている。
【００１９】
雄端子２０は、導電性に優れた金属板材をプレス等で加工して形成されており、図６に示すように、雌端子５０と接続される平板状の端子接続部２１を有している。端子接続部２１の幅寸法Ｗ１は、図７および図１０に示すように、雌端子５０の弾性接触片５３の幅寸法Ｗ２よりも大きく（Ｗ１＞Ｗ２）、端子接続部２１の板厚寸法Ｈ１は、図４に示すように、一対の弾性接触片５３の接点部５４間の距離Ｄ１よりも大きく設定されている（Ｈ１＞Ｄ１）。
また、端子接続部２１の上下面における前端からやや後方の位置には、雌端子５０の一対の弾性接触片５３における雌側接点部５４とそれぞれ接続される一対の雄側接点部２２が設けられている。
【００２０】
端子接続部２１の後方には、図示しない電線接続部が設けられており、電線接続部が公知の接続方法によって電線の端末に接続されることで、電線の端末に雄端子２０が固着されるようになっている。
【００２１】
雄ハウジング３０は雌ハウジングと嵌合可能とされており、雄ハウジング３０内には、図２に示すように、正面視略矩形状をなすキャビティ３１が前後方向に貫通して形成されている。キャビティ３１内には、キャビティ３１の上下面と平行な状態で雄端子２０が後方から挿入されており、雄端子２０は、キャビティ３１内に設けられた図示しない係止部によってキャビティ３１内に抜け止めされている。
【００２２】
また、キャビティ３１内には、雄ハウジング３０と雌ハウジングとの嵌合過程において、図５に示すように、雌端子５０が前方からキャビティ３１内に進入可能とされており、雄ハウジング３０と雌ハウジングとが正規の嵌合状態に至ると、キャビティ３１内に前方から進入した雌端子５０の一対の弾性接触片５３の間に雄端子２０の端子接続部２１が進入する。一対の弾性接触片５３の間に端子接続部２１が進入すると、図６に示すように、一対の弾性接触片５３が同弾性接触片５３の延出方向と交差する上下方向から端子接続部２１を挟み込み、雌側接点部５４が雄側接点部２２に弾性的にそれぞれ接触することで、雄端子２０と雌端子５０とが電気的に接続されるようになっている。
【００２３】
さて、雄ハウジング３０におけるキャビティ３１の両側に位置する内側壁（「壁部」の一例）３１Ａには、図５、図８および図１０に示すように、雄端子２０と雌端子５０とが接続または非接続となる過程において、雌端子５０における一対の弾性接触片５３の両側縁部５３Ａを押圧しつつ摺動する一対の摩耗低減部３５が設けられている。
一対の摩耗低減部３５は、図７および図１０に示すように、幅方向に対向する配置で内側壁３１Ａから互いに近づくように突出した形態とされており、一対の摩耗低減部３５間の距離Ｄ２は、雌端子５０における弾性接触片５３の幅寸法Ｗ２よりも小さく設定されている（Ｄ２＜Ｗ２）。
【００２４】
摩耗低減部３５は、図１、図３から図６に示すように、前後に長い側面視略楕円形状をなしている。摩耗低減部３５における上下の高さ寸法Ｌ１は、端子接続部２１の板厚寸法Ｈ１よりも大きく設定（Ｌ１＞Ｈ１）されているものの、摩耗低減部３５の前後方向の長さ寸法Ｌ２は、雌端子５０の弾性接触片５３の前後方向の長さ寸法Ｌ３よりも小さく設定（Ｌ２＜Ｌ３）されている。このため、摩耗低減部３５が一対の弾性接触片５３間の奥部に進入すると、摩耗低減部３５は一対の弾性接触片５３に挟持されることなく一対の弾性接触片５３間に配されるようになっている。
【００２５】
また、各摩耗低減部３５の前端部および後端部は、図３から図６に示すように、前後方向中央部に向かうほど上下方向に張り出した円弧状に傾斜しており、上下一対の弾性接触片５３が摩耗低減部３５に乗り上げるための乗り上げ部３５Ａとされている。
【００２６】
一対の摩耗低減部３５の上下方向中央部には、端子接続部２１の側縁部２１Ａが後方からそれぞれ嵌合される一対の嵌合凹部３６が設けられている。各嵌合凹部３６は、摩耗低減部３５の後端から摩耗低減部３５の前端部まで前方に向けて凹んだ形態をなしており、後方とキャビティ３１の内側との双方に開口した形態とされている。
言い換えると、各摩耗低減部３５は、図３から図６に示すように、嵌合凹部３６に嵌合される端子接続部２１を中心に上下に対称な構成とされており、端子接続部２１が一対の嵌合凹部３６に嵌合された状態では、図７から図１１に示すように、端子接続部２１の両側に摩耗低減部３５が配され、正面から視ると、摩耗低減部３５が端子接続部２１の上下面の高さ位置よりも上下に僅かに突出した状態となっている。
また、嵌合凹部３６に端子接続部２１が嵌合し、端子接続部２１の両側に摩耗低減部３５が配された状態になると、図４から図６に示すように、摩耗低減部３５の真後に端子接続部２１の雄側接点部２２が配されるようになっている。
【００２７】
したがって、雄ハウジング３０と雌ハウジングとの嵌合過程において、雌端子５０の一対の弾性接触片５３の間に雄端子２０の端子接続部２１が進入すると、図５に示すように、一対の弾性接触片５３の両側縁部５３Ａが摩耗低減部３５の乗り上げ部３５Ａに円滑に乗り上げ、一対の弾性接触片５３が上下に開くように弾性変位した状態で摩耗低減部３５の上下面を摺動する。
言い換えると、摩耗低減部３５が一対の弾性接触片５３の雌側接点部５４の側方に隣接する弾性接触片５３の両側縁部５３Ａを押圧し、摩耗低減部３５が一対の弾性接触片５３における両側縁部５３Ａの表面を摺動しつつ一対の弾性接触片５３の間を通過する。
【００２８】
そして、雄ハウジング３０と雌ハウジングとが正規嵌合され、雄端子２０と雌端子５０とが正規の接続位置に至ると、図６に示すように、一対の弾性接触片５３が摩耗低減部３５を乗り越え、摩耗低減部３５が一対の弾性接触片５３間の奥部に挟持されることなく配される。また、一対の弾性接触片５３は、摩耗低減部３５を乗り越えて摩耗低減部３５が押圧しない状態になることで弾性復帰し、一対の弾性接触片５３の雌側接点部５４が摩耗低減部３５の真後に配された雄側接点部２２に弾性的に接触する。
【００２９】
また、各摩耗低減部３５の後方には、図３から図６に示すように、嵌合凹部３６の後端開口縁から後方に向けて真っ直ぐ延びる上下一対のガイドリブ３７が設けられている。
上下一対のガイドリブ３７の間の距離は、端子接続部２１の板厚寸法Ｈ１よりも僅かに大きい寸法に設定されており、端子接続部２１が上下一対のガイドリブ３７間をがたつくことなく滑らかに前後に移動可能とされている。
【００３０】
上下一対のガイドリブ３７は、図７および図１０に示すように、幅方向に対向した形態とされており、幅方向に対向するガイドリブ３７間の距離Ｄ３は、端子接続部２１の幅寸法Ｗ１よりも小さく、雌端子５０の弾性接触片５３の幅寸法Ｗ２よりも大きく設定されている（Ｗ１＞Ｄ３＞Ｗ２）。
つまり、各ガイドリブ３７は、端子接続部２１を上下一対のガイドリブ３７間から脱落させることなく嵌合凹部３６に案内することができるものの、幅方向に対向するガイドリブ３７間に雌端子５０の弾性接触片５３を上下から収容することで、各ガイドリブ３７が一対の弾性接触片５３と端子接続部２１との接触の障害とならないように構成されている。
【００３１】
本実施形態は、以上のような構成であって、続いて、雄コネクタ１０の作用および効果について説明する。
まず、雄ハウジング３０のキャビティ３１内に後方から雄端子２０を挿入する。このとき、雄端子２０の端子接続部２１は、キャビティ３１の両側の内側壁３１Ａに設けられた上下一対のガイドリブ３７の間を前方に向かって進入することで、キャビティ内において上下に位置ずれすることなく摩耗低減部３５の嵌合凹部３６まで案内される。
【００３２】
そして、端子接続部２１の前端部が嵌合凹部３６内に嵌合され、端子接続部２１が嵌合凹部３６の奥面に前止まりされたところで、雄端子２０が係止部によってキャビティ３１内に抜け止めされる。ここで、端子接続部２１は、ガイドリブ３７に案内されて嵌合凹部３６に嵌合されているから、一対の摩耗低減部３５の間において上下に位置ずれることなく、図１および図２に示すように、キャビティ３１内の正規の位置に配される。
以上のようにして、雄コネクタ１０の組み立てが完了する。
【００３３】
組み立てが完了した雄コネクタ１０を雌コネクタと嵌合させるには、図４および図７に示すように、雄コネクタ１０と雌コネクタとを向かい合わせに配置し、互いを近づけることで雄コネクタ１０と雌コネクタとを嵌合させる。
【００３４】
この嵌合過程では、まず、雄ハウジング３０と雌ハウジングとの嵌合が開始されると、雌端子５０の一対の弾性接触片５３が雄ハウジング３０のキャビティ３１内に進入する。
雄ハウジング３０と雌ハウジングとの嵌合が進むと、図５および図８に示すように、一対の弾性接触片５３の両側縁部５３Ａが摩耗低減部３５の前端部における乗り上げ部３５Ａに乗り上げ、一対の弾性接触片５３が上下に開くように弾性変位する。そのまま、雄ハウジング３０と雌ハウジングとの嵌合が進むと、一対の弾性接触片５３の両側縁部５３Ａが摩耗低減部３５の上下面を前方に向けて摺動する。
【００３５】
そして、雄ハウジング３０と雌ハウジングとが正規の嵌合状態に至ると、一対の弾性接触片５３が摩耗低減部３５を乗り越え、図６および図９に示すように、摩耗低減部３５が一対の弾性接触片５３間の奥部に挟持されることなく配される。また、一対の弾性接触片５３は、摩耗低減部３５を乗り越えることで弾性復帰し、一対の弾性接触片５３が端子接続部２１を上下から挟み込むことで、一対の弾性接触片５３の雌側接点部５４が摩耗低減部３５の真後に配された雄側接点部２２に弾性的に接触する。
【００３６】
すなわち、雄端子２０と雌端子５０とが接続される過程において、弾性接触片５３の両側縁部５３Ａが摩耗低減部３５に乗り上げて、弾性接触片５３の両側縁部５３Ａが摩耗低減部３５の上下面を摺動するから、弾性接触片５３の幅方向略中央部に配された雌側接点部５４が、端子接続部２１や他の部材に接触したり、摺動したりすることを防ぐことができる。そして、雄端子２０と雌端子５０とが正規の接続位置に至ると、一対の弾性接触片５３が摩耗低減部３５を乗り越えて弾性復帰し、一対の弾性接触片５３の雌側接点部５４を端子接続部２１の雄側接点部２２に弾性的に接触させることができる。これにより、雌側接点部５４が摩耗することを抑制し、もって両端子２０，５０の接点部２２，５４間の接続信頼性を確保することができる。
【００３７】
また、雌コネクタと雄コネクタ１０とを離脱させる際にも、一対の弾性接触片５３の両側縁部５３Ａが、摩耗低減部３５の後端部における乗り上げ部３５Ａに乗り上げ、一対の弾性接触片５３が上下に開くように弾性変位する。そして、雄ハウジング３０と雌ハウジングとの離脱が進むと、一対の弾性接触片５３の両側縁部５３Ａが摩耗低減部３５の上下面を後方に向けて摺動し、最後に一対の弾性接触片５３が摩耗低減部３５を乗り越えて弾性復帰し、雄コネクタ１０と雌コネクタとの離脱が完了する。
【００３８】
以上のように、本実施形態によると、雌端子５０と雄端子２０とを接続または非接続にする過程の何れにおいても、一対の弾性接触片５３の両側縁部５３Ａが摩耗低減部３５に乗り上げて摺動する。つまり、一対の弾性接触片５３の幅方向中央に配された雌側接点部５４が端子接続部２１や他の部材と摺動することがないから、雄端子２０と雌端子５０とが正規の接続位置に至って雄側接点部２２と雌側接点部５４とが接触した際に、接点部２２，５４間の接続信頼性を確保することができる。
【００３９】
また、摩耗低減部３５が弾性接触片５３の両側縁部５３Ａと摺動するから、例えば、弾性接触片の一方の側縁のみが摩耗低減部と摺動する場合に比べて、弾性接触片５３と摩耗低減部３５とを安定して摺動させることができる。これにより、弾性接触片５３の中央部に配された雌側接点部５４が端子接続部２１と摺動することをより確実に防ぐことができる。
【００４０】
また、本実施形態によると、雌端子５０と雄端子２０との接続過程では、一対の弾性接触片５３が端子接続部２１ではなく、摩耗低減部３５に乗り上げるから、端子接続部２１の前端部を先細りに形成する必要がなく、雄端子２０を形成する作業工程を低減させることができる。
【００４１】
また、上下一対の弾性接触片５３の間を摩耗低減部３５が弾性接触片５３と摺動しつつ通過して上下一対の雌側接点部５４の摩耗を同時に防ぐことができる。
【００４２】
さらに、摩耗低減部３５の前端部および後端部には、円弧状に傾斜した乗り上げ部３５Ａが形成されているから、弾性接触片５３が摩耗低減部３５に乗り上げ易くなり、雄端子２０と雌端子５０とを接続または非接続にする動作を滑らかに進行させることができる。
【００４３】
ところで、摩耗低減部３５が、端子接続部２１に対して上下方向（板厚方向）の何れかに位置ずれした状態になっていると、雌端子５０の弾性接触片５３が端子接続部２１に接触し、雌側接点部５４と端子接続部２１とが摺動することが懸念される。
ところが、本実施形態によると、端子接続部２１が上下一対のガイドリブ３７の間を進入して嵌合凹部３６に嵌合されるから、端子接続部２１に対して一対の摩耗低減部３５が上下方向に位置ずれすることを確実に防ぐことができる。これにより、雌端子５０の弾性接触片５３が端子接続部２１に接触することを確実に防ぐことができる。
【００４４】
＜実施形態２＞
次に、実施形態２について図１２を参照して説明する。
【００４５】
実施形態２の雄ハウジング１３０は、実施形態１における摩耗低減部３５を変更したものであって、実施形態１と共通する構成、作用、および効果については重複するため、その説明を省略する。また、実施形態１と同じ構成については同一の符号を用いるものとする。
【００４６】
実施形態２の摩耗低減部１３５は、キャビティ３１における幅方向両側の内側壁３１に設けられた装着溝１３８に、雄ハウジング３０とは別部材からなる板状部材１３７を屈曲させて装着することで形成されている。また、屈曲させた板状部材１３７の間の空間が端子接続部２１を嵌合させる嵌合凹部１３６とされている。なお、ここで使用する板状部材１３７は、ステンレス鋼（ＳＵＳ）などの金属製の板材や耐摩耗性に優れたポリアセタールやポリカーボネートなどの樹脂製の板材を用いることができる。
【００４７】
すなわち、本実施形態によると、雄ハウジング１３０よりも耐摩耗性に優れた板状部材１３７を装着して摩耗低減部１３５を形成することで、摩耗低減部１３５が摩耗することに起因して雌側接点部５４が摩耗することを防ぐことができる。
【００４８】
＜他の実施形態＞
本明細書で開示される技術は上記記述及び図面によって説明した実施形態に限定されるものではなく、例えば次のような実施形態も技術的範囲に含まれる。
（１）上記実施形態では、摩耗低減部３５の乗り上げ部３５Ａを円弧状に傾斜する構成とした。しかしながら、これに限らず、乗り上げ部は平坦に傾斜する構成にしてもよい。
（２）上記実施形態では、キャビティ３１の側壁に板状部材１３７を装着して摩耗低減部１３５を構成した。しかしながら、これに限らず、キャビティ３１の側壁に柱状の部材を装着することで摩耗低減部を形成してもよい。
【００４９】
（３）上記実施形態では、雌端子５０の上下一対の弾性接触片５３に摩耗低減部３５，１３５が摺動する構成とした。しかしながら、これに限らず、雌端子において上下のうちのどちらか一方にのみ形成された弾性接触片と摩耗低減部とを摺動させる構成としてもよい。
（４）上記実施形態では、電線の端末に接続される雄端子を有する雄コネクタを一例として示した。しかしながら、これに限らず、雄ハウジングにインサート成形された雄端子を有するコネクタに本明細書で開示した技術を適用してもよい。
【符号の説明】
【００５０】
１０：雄コネクタ（コネクタ）
２０：雄端子
２１：端子接続部
２２：雄側接点部
３０：雄ハウジング（ハウジング）
３１Ａ：側壁（壁部）
３５：摩耗低減部
３５Ａ：乗り上げ部
３７：ガイドリブ（ガイド部）
５０：雌端子
５１：端子本体部
５３：弾性接触片
５４：雌側接点部
１３７：板状部材（別部品）
【図１】
2015222620.tif 000003
【図２】
2015222620.tif 000004
【図３】
2015222620.tif 000005
【図４】
2015222620.tif 000006
【図５】
2015222620.tif 000007
【図６】
2015222620.tif 000008
【図７】
2015222620.tif 000009
【図８】
2015222620.tif 000010
【図９】
2015222620.tif 000011
【図１０】
2015222620.tif 000012
【図１１】
2015222620.tif 000013
【図１２】
2015222620.tif 000014